(57)【要約】【課題】  回転速度と予圧設定のタイムラグがなく、且つ軸受外部の発熱制御装置、冷却液供給装置等の付帯設備等を必要とせず安価に運転中の軸受予圧の増大を緩和することができるアンギュラ玉軸受および軸受設置構造を提供する。【解決手段】  外輪外周面２ｂにおける、外輪正面側の周面部分２ｂｓを、ハウジングＨｓに対して嵌合させる円筒面状の嵌合面としている。外輪外周面２ｂにおける、外輪背面側の周面部分２ｂｈを、外輪正面側の周面部分２ｂｓに対して軸受空間側へ凹むように径が変化してハウジングＨｓに対して非接触となるように形成している。この非接触となる周面部分２ｂｈは、周面部分２ｂｈを有する外輪２が熱膨張しても、前記外輪正面側の周面部分２ｂｓを延長した円筒面６に達しない深さに形成している。【選択図】      図１
2012026496.tif 000002
【特許請求の範囲】
【請求項１】
アンギュラ玉軸受において、軌道輪である内輪および外輪のうち、いずれか一方または両方の軌道輪につき、この軌道輪の軸受空間に対する外側となる周面における、軌道輪正面側の周面部分を、軸またはハウジングに対して嵌合させる円筒面状の嵌合面とし、軌道輪背面側の周面部分を、軌道輪正面側の周面部分に対して軸受空間側へ凹むように径が変化して前記軸またはハウジングに対して非接触となるように形成したことを特徴とするアンギュラ玉軸受。
【請求項２】
請求項１において、前記軌道輪背面側の周面部分は、この軌道輪背面側の周面部分を形成した軌道輪が熱膨張しても、前記軌道輪正面側の周面部分を延長した円筒面に達しない深さに形成したものであるアンギュラ玉軸受。
【請求項３】
請求項１または請求項２において、前記軌道輪背面側の周面部分は、この軌道輪の軌道輪正面側に向かうに従って、前記軌道輪に嵌合される軸またはハウジングの嵌合面に近づく傾斜角度を有するテーパ状であるアンギュラ玉軸受。
【請求項４】
請求項１または請求項２において、前記軌道輪背面側の周面部分は、この軌道輪の軌道輪正面側の周面部分に対して段部を成すアンギュラ玉軸受。
【請求項５】
請求項１ないし請求項４のいずれか１項において、前記軌道輪背面側の周面部分を形成した軌道輪が外輪であるアンギュラ玉軸受。
【請求項６】
請求項１ないし請求項４のいずれか１項において、前記軌道輪背面側の周面部分を形成した軌道輪が内輪であるアンギュラ玉軸受。
【請求項７】
請求項６において、前記内輪をセラミックスからなるものとしたアンギュラ玉軸受。
【請求項８】
請求項１ないし請求項７のいずれか１項に記載の軸受を、背面組合せまたは正面組合せで複数個設置したアンギュラ玉軸受設置構造。
【請求項９】
背面組合せまたは正面組合せで複数個のアンギュラ玉軸受の外輪をハウジングに設置し、これらアンギュラ玉軸受の内輪に軸を嵌合させたアンギュラ玉軸受設置構造において、
軌道輪である前記外輪の外周面とハウジングとの嵌合部、または軌道輪である前記内輪の内周面と軸との嵌合部における軌道輪背面側部分に逃げ用隙間を設けたことを特徴とするアンギュラ玉軸受設置構造。
【請求項１０】
請求項９において、前記逃げ用隙間の逃げ深さは、この逃げ用隙間を構成する軌道輪が熱膨張しても接触しない深さとしたものであるアンギュラ玉軸受設置構造。
【請求項１１】
アンギュラ玉軸受の外輪をハウジングの内周に設置し、内輪に軸を嵌合させたアンギュラ玉軸受設置構造において、
前記ハウジングまたは軸である軸受嵌合部材が嵌合される前記内外輪のいずれか一方または両方の軌道輪の周面のうち、軌道輪正面側の周面部分を、前記軸受嵌合部材に嵌合させる円筒面状の嵌合面とし、
前記軌道輪の前記周面のうち、軌道輪背面側の周面部分を、前記軸受嵌合部材に対して非接触となる凹み部分に形成したことを特徴とするアンギュラ玉軸受設置構造。
【請求項１２】
請求項１１において、前記凹み部分を形成する凹み部分形成面の凹み深さは、この凹み部分を形成した軌道輪が熱膨張しても、前記軌道輪正面側の周面部分を延長した円筒面に達しない深さに形成したものであるアンギュラ玉軸受設置構造。
【請求項１３】
アンギュラ玉軸受の外輪をハウジングの内周に設置し、内輪に軸を嵌合させたアンギュラ玉軸受設置構造において、
前記ハウジングまたは軸である軸受嵌合部材に、この軸受嵌合部材に嵌合させる前記内輪または外輪である軌道輪の周面に対して、軌道輪正面側の周面部分を嵌合させる円筒面状の軸受嵌合面と、軌道輪背面側の周面部分が非接触となるような凹み部分形成面とを設けたことを特徴とするアンギュラ玉軸受設置構造。
【請求項１４】
請求項１３において、前記凹み部分形成面の逃げ深さは、この凹み部分に対向する軌道輪が熱膨張しても、前記凹み部分形成面に接触しない深さに形成したものであるアンギュラ玉軸受設置構造。
【発明の詳細な説明】
【技術分野】
【０００１】
この発明は、アンギュラ玉軸受および軸受設置構造に関し、例えば、工作機械主軸等の高速で使用されるアンギュラ玉軸受の予圧調整に適用される技術に関する。
【背景技術】
【０００２】
従来、工作機械主軸に使用される軸受は、加工精度と加工能率を向上させるため、剛性を重視して、定位置予圧で負のすきま、すなわち予圧を付加した状態で使用されることが多い。しかし、予圧を付加した軸受を高速で運転すると、主に内輪の温度上昇と遠心力とによる軌道径の膨張のため、負のラジアルすきまが増大してしまう。その結果、過大予圧となって、温度上昇さらには軸受寿命を低下させる等の不具合を発生させる場合がある。
【０００３】
加工精度と加工能率に影響する軸受剛性と高速性とは相反する要因であり、両立が難しいのが現状である。軸受を高速運転したときに生じる過大予圧を緩和させるための方法として、背面組合せされたアンギュラ玉軸受において、軸受間に配置された外輪間座に、発熱体を設け、この外輪間座の温度制御により同外輪間座の軸方向寸法を変化させることで、軸受予圧を調整する技術が提案されている（特許文献１）。この技術では、低速重切削時においては、予圧を大として軸受剛性を高くする必要がある。この低速重切削時には、外輪間座を加熱することでこの外輪間座を軸方向に膨張させて予圧を大きくする。高速軽切削時においては、大きな予圧は不要であることから、低速時とは逆に外輪間座を冷却することでこの外輪間座を軸方向に収縮させて予圧を減少させている。
【先行技術文献】
【特許文献】
【０００４】
【特許文献１】特開２００６−６４１２７号公報
【発明の概要】
【発明が解決しようとする課題】
【０００５】
最近の高速型工作機械では、機械の温度上昇を抑制する目的から、外輪が挿入固定される軸受箱を冷却油等により強制冷却することが多い。このような場合、外輪は温度上昇しても低温度でしかも剛性のある軸受箱（ハウジング）に拘束されてしまうため、温度上昇に対応した熱膨張とならない。このことが軸受予圧の増大要因の一つとなっている。
また、運転中の予圧を調整する従来技術として、上記技術（特許文献１）があるが、この方法は、発熱体による外輪間座の温度上昇、または冷却に時間を要し、回転速度と予圧設定にタイムラグが大きくなってしまう欠点がある。したがって、一定回転速度での長時間加工には向いているが、頻繁に回転速度が変化する加工機には不向きである。
【０００６】
この発明の目的は、回転速度と予圧設定のタイムラグがなく、且つ軸受外部の発熱制御装置、冷却液供給装置等の付帯設備等を必要とせず安価に運転中の軸受予圧の増大を緩和することができるアンギュラ玉軸受および軸受設置構造を提供することである。
【課題を解決するための手段】
【０００７】
この発明のアンギュラ玉軸受は、アンギュラ玉軸受において、軌道輪である内輪および外輪のうち、いずれか一方または両方の軌道輪につき、この軌道輪の軸受空間に対する外側となる周面における、軌道輪正面側の周面部分を、軸またはハウジングに対して嵌合させる円筒面状の嵌合面とし、軌道輪背面側の周面部分を、軌道輪正面側の周面部分に対して軸受空間側へ凹むように径が変化して前記軸またはハウジングに対して非接触となるように形成したことを特徴とする。
前記「軌道輪正面側」とは、その軌道輪がアキシアル荷重を支持しない側面側（端面側ともいう）を表す。前記「軌道輪背面側」とは、その軌道輪がアキシアル荷重を支持する側面を表す。なお、軸受の正面側、背面側の区別は、外輪側で言うため、外輪では、軌道輪の正面側と軸受の正面側とが一致するが、内輪では、軸受の背面側が軌道輪の正面側となる。
【０００８】
この構成によると、前記非接触となる軌道輪背面側の周面部分を形成した軌道輪を外輪とした場合、軸受運転中、外輪正面側の周面部分では、外輪が温度上昇により熱膨張しても、外輪よりも低温のハウジングによって膨張を拘束してしまう。一方、外輪背面側の周面部分では、凹みによりハウジングによる拘束がないため外輪の温度上昇による熱膨張が容易にできて、外輪を径方向に変形させる。つまり、外輪の軌道溝の曲率半径が熱膨張前の曲率半径よりも拡大する方向に、外輪を変形させる。この場合、外輪の軌道溝のうち転動体接触点では、径方向および軸方向へのすきま増大と同様の効果をもたらして、予圧増大が緩和されることになる。
【０００９】
軌道輪背面側の周面部分を形成した軌道輪を内輪とする場合、この内輪を軸の材質よりも線膨張係数の小さな材質からなるものとする。軸受運転中、軸と内輪の温度が同等になるとすると、内輪よりも線膨張係数の大きな軸により内輪は強制的に膨張させられてしまう。この場合に、内輪背面側の周面部分が凹むように形成したことにより、膨張量を小さくする。この場合、内輪の軌道溝の曲率半径が熱膨張前の曲率半径よりも拡大する方向に、内輪を変形させる。したがって、内輪の軌道溝のうち転動体接触点では、径方向および軸方向へのすきま増大と同様の効果をもたらして、予圧増大が緩和されることになる。
このように軸受運転時における軌道輪または軸の熱膨張に応じて、軌道溝の曲率半径を拡大させて予圧増大の緩和防止を図っているため、従来技術のような回転速度と予圧設定のタイムラグがなく、且つ軸受外部の発熱制御装置、冷却液供給装置等の付帯設備等を必要とせず安価に運転中の軸受予圧の増大を緩和することができる。
【００１０】
前記軌道輪背面側の周面部分は、この軌道輪背面側の周面部分を形成した軌道輪が熱膨張しても、前記軌道輪正面側の周面部分を延長した円筒面に達しない深さに形成したものであっても良い。これにより、軌道輪背面側の周面部分を形成した軌道輪が熱膨張しても、この軌道輪における起動溝の転動体接触点で、径方向および軸方向へのすきま増大と同様の効果を確実にもたらし、予圧増大が緩和される。
前記軌道輪背面側の周面部分は、この軌道輪の軌道輪正面側に向かうに従って、前記軌道輪に嵌合される軸またはハウジングの嵌合面に近づく傾斜角度を有するテーパ状であっても良い。
この傾斜角度を大きくする程、温度による熱膨張分と共に、内部予圧による変形分が軌道輪に加わるため、予圧増大の緩和度は大きくなる。つまり傾斜角度により予圧を調整することが可能となる。ただし、傾斜角度を大きくする程、軸受剛性の面で不利となる。
【００１１】
前記軌道輪背面側の周面部分は、この軌道輪の軌道輪正面側の周面部分に対して段部を成すものとしても良い。この場合、軌道輪正面側の周面部分に対する段部の深さを深くする程、温度による熱膨張分と共に、内部予圧による変形分が軌道輪に加わるため、予圧増大の緩和度は大きくなる。つまり段部の深さにより予圧を調整することが可能となる。ただし、段部の深さを深くする程、軸受剛性の面で不利となる。段部は、凹み部分の傾斜角度を変える場合に比べて、深さを容易に変えることができ、製作上有利である。
【００１２】
前記軌道輪背面側の周面部分を形成した軌道輪が外輪であっても良い。
前記軌道輪背面側の周面部分を形成した軌道輪が内輪であっても良い。
この軌道輪背面側の周面部分を形成した軌道輪が内輪である場合に、前記内輪をセラミックスからなるものとしても良い。この場合、内輪の線膨張係数を、軸の線膨張係数よりも小さくし、内輪に逃げ部を形成した場合に、内輪の軌道溝の曲率半径を確実に拡大させることができる。
【００１３】
この発明における第１の発明のアンギュラ玉軸受設置構造は、前述のいずれかに記載の軸受を、背面組合せまたは正面組合せで複数個設置したものである。複数個のアンギュラ玉軸受を背面組合せとした場合、正面組合せとした場合のいずれの組合せであっても、運転中の軸受予圧の増大を緩和することができる。よって、さらなる高速化または軸受寿命の延長が図れる。
【００１４】
この発明における第２の発明のアンギュラ玉軸受設置構造は、背面組合せまたは正面組合せで複数個のアンギュラ玉軸受の外輪をハウジングに設置し、これらアンギュラ玉軸受の内輪に軸を嵌合させたアンギュラ玉軸受設置構造において、軌道輪である前記外輪の外周面とハウジングとの嵌合部、または軌道輪である前記内輪の内周面と軸との嵌合部における軌道輪背面側部分に逃げ用隙間を設けたことを特徴とする。
【００１５】
この構成によると、軸受運転中、嵌合部における軌道輪背面側部分に設けた逃げ用隙間により、この逃げ用隙間を構成する軌道輪が熱膨張しても接触しないようにできる。換言すれば、軸受運転中、逃げ用隙間を構成する軌道輪を熱膨張できるようにしたため、この軌道輪の軌道溝のうち転動体接触点では、径方向および軸方向へのすきま増大と同様の効果をもたらして、予圧増大が緩和されることになる。
前記逃げ用隙間の逃げ深さは、この逃げ用隙間を構成する軌道輪が熱膨張しても接触しない深さとしたものであっても良い。
【００１６】
この発明における第３の発明のアンギュラ玉軸受設置構造は、第２の発明のアンギュラ玉軸受設置構造において、逃げ用隙間を、内外輪の周面に凹み部分を形成することで構成したものである。すなわち、第３の発明のアンギュラ玉軸受設置構造は、アンギュラ玉軸受の外輪をハウジングの内周に設置し、内輪に軸を嵌合させたアンギュラ玉軸受設置構造において、前記ハウジングまたは軸である軸受嵌合部材が嵌合される前記内外輪のいずれか一方または両方の軌道輪の周面のうち、軌道輪正面側の周面部分を、前記軸受嵌合部材に嵌合させる円筒面状の嵌合面とし、前記軌道輪の前記周面のうち、軌道輪背面側の周面部分を、前記軸受嵌合部材に対して非接触となる凹み部分に形成したことを特徴とする。
この構成によると、軸受運転中、凹み部分を形成した軌道輪が膨張しても、この軌道輪背面側の周面部分を軸受嵌合部材に対し非接触とすることができる。したがって、軸受運転時における軌道輪の熱膨張に応じて、軌道溝の曲率半径を拡大させて予圧増大の緩和防止を図ることができる。また、ハウジングや軸に特別な加工を施す必要がないため、製作コストの低減を図ることが可能となる。
前記凹み部分を形成する凹み部分形成面の凹み深さは、この凹み部分を形成した軌道輪が熱膨張しても、前記軌道輪正面側の周面部分を延長した円筒面に達しない深さに形成したものであっても良い。
【００１７】
この発明における第４の発明のアンギュラ玉軸受設置構造は、第２の発明のアンギュラ玉軸受設置構造において、逃げ用隙間を、ハウジングまたは軸に凹み部分を形成することで構成したものである。すなわち、第４の発明のアンギュラ玉軸受設置構造は、前記ハウジングまたは軸である軸受嵌合部材に、この軸受嵌合部材に嵌合させる前記内輪または外輪である軌道輪の周面に対して、軌道輪正面側の周面部分を嵌合させる円筒面状の軸受嵌合面と、軌道輪背面側の周面部分が非接触となるような凹み部分形成面とを設けたことを特徴とする。
この構成によると、軸受運転中、逃げ部に対向する軌道輪が膨張しても、軌道輪背面側の周面部分を、軸受嵌合部材の凹み部分形成面に対し非接触とすることができる。したがって、軸受運転時における軌道輪の熱膨張に応じて、軌道溝の曲率半径を拡大させて予圧増大の緩和防止を図ることができる。この場合、標準のアンギュラ玉軸受を追加工等することなく使用できるため、軸受の汎用性を高めることができる。
前記凹み部分形成面の逃げ深さは、この凹み部分に対向する軌道輪が熱膨張しても、前記凹み部分形成面に接触しない深さに形成したものであっても良い。
【発明の効果】
【００１８】
この発明のアンギュラ玉軸受は、アンギュラ玉軸受において、軌道輪である内輪および外輪のうち、いずれか一方または両方の軌道輪につき、この軌道輪の軸受空間に対する外側となる周面における、軌道輪正面側の周面部分を、軸またはハウジングに対して嵌合させる円筒面状の嵌合面とし、軌道輪背面側の周面部分を、軌道輪正面側の周面部分に対して軸受空間側へ凹むように径が変化して前記軸またはハウジングに対して非接触となるように形成したため、回転速度と予圧設定のタイムラグがなく、且つ軸受外部の発熱制御装置、冷却液供給装置等の付帯設備等を必要とせず安価に運転中の軸受予圧の増大を緩和することができる。
【００１９】
この発明における第１の発明のアンギュラ玉軸受設置構造は、前述のいずれかに記載の軸受を、背面組合せまたは正面組合せで複数個設置したため、回転速度と予圧設定のタイムラグがなく、且つ軸受外部の発熱制御装置、冷却液供給装置等の付帯設備等を必要とせず安価に運転中の軸受予圧の増大を緩和することができる。
この発明における第２の発明のアンギュラ玉軸受設置構造は、背面組合せまたは正面組合せで複数個のアンギュラ玉軸受の外輪をハウジングに設置し、これらアンギュラ玉軸受の内輪に軸を嵌合させたアンギュラ玉軸受設置構造において、軌道輪である前記外輪の外周面とハウジングとの嵌合部、または軌道輪である前記内輪の内周面と軸との嵌合部における軌道輪背面側部分に逃げ用隙間を設けたため、回転速度と予圧設定のタイムラグがなく、且つ軸受外部の発熱制御装置、冷却液供給装置等の付帯設備等を必要とせず安価に運転中の軸受予圧の増大を緩和することができる。
【００２０】
この発明における第３の発明のアンギュラ玉軸受設置構造は、第２の発明のアンギュラ玉軸受設置構造において、逃げ用隙間を、内外輪の周面に凹み部分を形成することで構成したため、回転速度と予圧設定のタイムラグがなく、且つ軸受外部の発熱制御装置、冷却液供給装置等の付帯設備等を必要とせず安価に運転中の軸受予圧の増大を緩和することができる。また、ハウジングや軸に特別な加工を施す必要がないため、製作コストの低減を図ることが可能となる。
【００２１】
この発明における第４の発明のアンギュラ玉軸受設置構造は、第２の発明のアンギュラ玉軸受設置構造において、逃げ用隙間を、ハウジングまたは軸に凹み部分を形成することで構成したため、回転速度と予圧設定のタイムラグがなく、且つ軸受外部の発熱制御装置、冷却液供給装置等の付帯設備等を必要とせず安価に運転中の軸受予圧の増大を緩和することができる。この場合、標準のアンギュラ玉軸受を追加工等することなく使用できるため、軸受の汎用性を高めることができる。
【図面の簡単な説明】
【００２２】
【図１】（Ａ）は、この発明の第１の実施形態に係るアンギュラ玉軸受の断面図、（Ｂ）は、同アンギュラ玉軸受の要部の拡大断面図である。
【図２】同アンギュラ玉軸受を背面組合せとした断面図である。
【図３】同アンギュラ玉軸受を正面組合せとした断面図である。
【図４】この発明の他の実施形態に係るアンギュラ玉軸受の断面図である。
【図５】同アンギュラ玉軸受を背面組合せとした断面図である。
【図６】この発明のさらに他の実施形態に係るアンギュラ玉軸受の断面図である。
【図７】同アンギュラ玉軸受を背面組合せとした断面図である。
【図８】この発明のさらに他の実施形態に係るアンギュラ玉軸受の断面図である。
【図９】同アンギュラ玉軸受を背面組合せとした断面図である。
【図１０】この発明のさらに他の実施形態に係るアンギュラ玉軸受の断面図である。
【図１１】この発明のさらに他の実施形態に係るアンギュラ玉軸受の断面図である。
【図１２】（Ａ）は、この発明のさらに他の実施形態に係り、ハウジングに斜面角度を有する逃げ部を設けたアンギュラ玉軸受設置構造を表す断面図、（Ｂ）は、ハウジングに段部を成す逃げ部を設けたアンギュラ玉軸受設置構造を表す断面図である。
【図１３】（Ａ）は、この発明のさらに他の実施形態に係り、軸に斜面角度を有する逃げ部を設けたアンギュラ玉軸受設置構造を表す断面図、（Ｂ）は、軸に段部を成す逃げ部を設けたアンギュラ玉軸受設置構造を表す断面図である。
【図１４】（Ａ），（Ｂ）は、この発明のさらに他の実施形態に係り、ハウジングおよび軸に逃げ部を設けたアンギュラ玉軸受設置構造を表す断面図である。
【図１５】この発明のいずれかのアンギュラ玉軸受設置構造を用いたスピンドル装置の構成例を表す断面図である。
【発明を実施するための形態】
【００２３】
この発明の第１の実施形態に係るアンギュラ玉軸受を図１ないし図３と共に説明する。以下の説明はアンギュラ玉軸受設置構造、および予圧調整方法についての説明をも含む。この実施形態に係るアンギュラ玉軸受は、特に、外輪背面側の周面部分を、ハウジングに対して非接触となる逃げ部に形成したものである。
【００２４】
図１（Ａ）に示すように、アンギュラ玉軸受ＢＲ１は、軸Ｓｈの円筒面からなる外周面に嵌合される内輪１と、ハウジングＨｓの円筒面からなる内周に設置される外輪２と、これら内外輪１，２の軌道溝１ａ，２ａ間に介在される複数の玉３と、これら玉３を円周方向一定間隔おきに保持する環状の保持器４とを有する。環状の保持器４の円周方向複数箇所にポケットＰｔが設けられ、各ポケットＰｔに玉３が保持されている。保持器４は、例えば、合成樹脂等からなり、この保持器４の外周面が外輪内径面に案内されるいわゆる外輪案内保持器とされている。玉３は、例えば、鋼球またはセラミックス等からなる。
【００２５】
内輪１および軸Ｓｈは、例えば、軸受鋼等からなる。軸Ｓｈの外周面に、円筒面状の内輪内周面１ｂを締嵌めにより嵌合固定している。内輪１のうち軸受空間側となる外周面に、内輪外径面１ｃ、軌道溝１ａ、およびカウンタボアとなるテーパ面１ｄが形成されている。軌道溝１ａの内輪背面側に内輪外径面１ｃが繋がり、軌道溝１ａの内輪正面側にテーパ面１ｄが繋がっている。
【００２６】
外輪２は、例えば、軸受鋼等からなる。この例では、ハウジングＨｓの円筒面からなる内周に外輪外周面２ｂを設置し、外輪固定の内輪回転型としている。また、外輪２の軸受空間に対する外側となる周面が、「外輪外周面２ｂ」となる。この外輪外周面２ｂにおける、外輪正面側の周面部分２ｂｓを、ハウジングＨｓに対して嵌合させる円筒面状の嵌合面としている。外輪外周面２ｂにおける、外輪背面側の周面部分２ｂｈを、外輪正面側の周面部分２ｂｓに対して軸受空間側へ凹むように径が変化してハウジングＨｓに対して非接触となるように形成している。つまり外輪背面側の周面部分２ｂｈを、ハウジングＨｓに対して非接触となる環状の凹み部分５に形成している。この凹み部分５は、凹み部分５を有する外輪２が熱膨張しても、前記外輪正面側の周面部分２ｂｓを延長した円筒面６に達しない深さに形成している。
【００２７】
すなわち、外輪外周面２ｂとハウジングＨｓとの嵌合部における外輪背面側部分に、外輪外周面２ｂとハウジングＨｓとが非接触となる逃げ用隙間δを設けており、この逃げ用隙間δの逃げ深さは、この逃げ用隙間δを構成する外輪２が熱膨張しても接触しない深さとしている。
前記凹み部分５は、外輪正面側に向かうに従って、ハウジングＨｓの嵌合面に近づく傾斜角度αを有するテーパ状としている。よって、この凹み部分５は端面側が小径となる。凹み部分５の傾斜角度αを大きくする程、温度による熱膨張分と共に、内部予圧による変形分が外輪２に加わるため、予圧増大の緩和度は大きくなる。また、この例では、凹み部分５を、外輪外周面２ｂのうち幅方向中央部２ｂｃから外輪背面側の端面に至る部分にわたって形成している。ただし、凹み部分５の形成箇所は、この例に限定されるものではない。例えば、凹み部分５を、軌道溝底に対応する幅方向中央部２ｂｃよりも外輪正面側に離れた箇所から外輪背面側の端面に至る部分にわたり形成しても良い。但し、凹み部分５を正面側に大きくするほど予圧緩和には有利となるが、反面軸受剛性は低下してしまうことになる。よって凹み部分５を形成する位置は必要な剛性を考慮して決定することになる。この場合、嵌合面となる外輪正面側の周面部分２ｂｓの長さが図１（Ａ）のものより短くなる。逆に、凹み部分５を、幅方向中央部２ｂｃよりも外輪背面側に離れた箇所から外輪背面側の端面に至る部分にわたり形成しても良い。
【００２８】
外輪２のうち軸受空間側となる内周面に、外輪内径面２ｃ、軌道溝２ａ、およびカウンタボアとなるテーパ面２ｄが形成されている。軌道溝２ａの外輪背面側に外輪内径面２ｃが繋がり、軌道溝２ａの外輪正面側にテーパ面２ｄが繋がっている。
この軸受設置構造では、ハウジングＨｓその他の軸受外部に、前述の発熱制御装置、冷却液供給装置等の付帯設備は設けられていない。
【００２９】
以上説明したアンギュラ玉軸受ＢＲ１によると、軸受運転中、外輪正面側の周面部分２ｂｓでは、外輪２が温度上昇により熱膨張しても、外輪２よりも低温のハウジングＨｓによって膨張を拘束してしまう。一方、外輪背面側の周面部分２ｂｈでは、この周面部分２ｂｈを凹み部分５に形成したことにより、ハウジングＨｓによる拘束がないため外輪２の温度上昇による熱膨張が容易にできて、外輪２を径方向に変形させる。つまり、図１（Ａ）のＡ部の拡大図である図１（Ｂ）に示すように、外輪２の軌道溝２ａの曲率半径Ｒａが熱膨張前の曲率半径Ｒａよりも拡大する方向に、外輪２を変形させる。図１（Ｂ）の破線が、変形後の外輪２の軌道溝２ａを示す。この場合、外輪２の軌道溝２ａのうち転動体（玉）接触点では、径方向および軸方向へのすきま増大と同様の効果をもたらして、予圧増大が緩和されることになる。
【００３０】
このように軸受運転時における外輪２の熱膨張に応じて、軌道溝２ａの曲率半径Ｒａを拡大させて予圧増大の緩和防止を図っているため、従来技術のような回転速度と予圧設定のタイムラグがなく、且つ、軸受外部の発熱制御装置、冷却液供給装置等の付帯設備等を必要とせず安価に運転中の軸受予圧の増大を緩和することができる。また、ハウジングＨｓや軸Ｓｈに特別な加工を施す必要がないため、製作コストの低減を図ることが可能となる。
凹み部分５のテーパ状の傾斜角度αにより予圧を調整することが可能となるため、コスト低減を図れる。傾斜角度αを大きくする程、温度による熱膨張分と共に、内部予圧による変形分が外輪に加わるため、予圧増大の緩和度は大きくなる。ただし、傾斜角度αを大きくする程、軸受剛性の面で不利となる。凹み部分５は、外輪正面側に向かうに従って、傾斜角度αが変化するものとしても良いし、円筒面とテーパ面とを繋げて組合せたものとしても良い。
【００３１】
図２は、図１の実施形態に係る二個の前記アンギュラ玉軸受ＢＲ１，ＢＲ１を背面組合せとした断面図である。同図に示すように、各アンギュラ玉軸受ＢＲ１，ＢＲ１における、外輪背面側の周面部分２ｂｈ，２ｂｈをそれぞれ凹み部分５，５に形成している。よって、これら凹み部分５，５が軸方向に隣接して配置される。軸方向に隣接する二個の内輪１，１は、間座７，８等を介して、図示外の固定ナット等を締付けて位置決め固定されている。軸方向に隣接する二個の外輪２，２のうち、軸方向前側、図２では左側の外輪２における、外輪正面側の端面をハウジングＨｓの段部９に当接させている。軸方向後側の外輪２における、外輪正面側の端面に、蓋部材１０の一部を当接させると共に、この蓋部材１０をハウジングＨｓに固定している。各軸受の組立て後のすきまは、通常、軸剛性を確保するため、若干の負すきまにして用いられるのが一般的である。
【００３２】
図２の構成によると、軸受運転中、各外輪２の外輪背面側の周面部分２ｂｈを、凹み部分５に形成したことにより、ハウジングＨｓによる拘束がないため、外輪２の熱膨張を容易に行わせて、各外輪２を径方向に変形させる。したがって、各外輪２の軌道溝２ａのうち玉接触点では、径方向および軸方向へのすきま増大と同様の効果をもたらして、予圧増大が緩和されることになる。よって、さらなる高速化または軸受寿命の延長が図れる。また、各外輪２，２の凹み部分５，５を軸方向に隣接して配置することで、二個のアンギュラ玉軸受ＢＲ１，ＢＲ１を背面組合せに正確に且つ容易に配置して組込むことができる。したがって、各外輪２，２に組合せのマーキング等を施すことなく、軸受ＢＲ１，ＢＲ１の組込みミスを未然に防止できる。その他図１と同様の作用効果を奏する。
図３に示すように、二個の前記アンギュラ玉軸受ＢＲ１，ＢＲ１を正面組合せとしても良い。この場合、各外輪２，２の凹み部分５，５は、軸方向に離隔して配置される。この正面組合せの場合にも、凹み部分５，５により外輪２の熱膨張を容易に行わせて、各外輪５，５を径方向に変形させ、予圧増大が緩和されることになる。
【００３３】
この発明の他の実施形態について説明する。以下の説明においては、各形態で先行する形態で説明している事項に対応している部分には同一の参照符を付し、重複する説明を略する。構成の一部のみを説明している場合、構成の他の部分は、先行して説明している形態と同様とする。実施の各形態で具体的に説明している部分の組合せばかりではなく、特に組合せに支障が生じなければ、実施の形態同士を部分的に組合せることも可能である。
【００３４】
図４は、外輪背面側の凹み部分５を、外輪正面側の周面部分２ｂｓに対して段部を成すものとしている。この段部は、外輪正面側の周面部分２ｂｓに対して軸受空間側へ凹むように形成され、且つ、外輪外周面のうち軌道溝底に対応する幅方向中央部２ｂｃから外輪背面側の端面に至る部分にわたって形成されている。ただし、凹み部分５の形成箇所は、この例に限定されるものではない。例えば、凹み部分５を、幅方向中央部２ｂｃよりも外輪正面側に離れた箇所から外輪背面側の端面に至る部分にわたり形成しても良い。但し、凹み部分５を外輪正面側に大きくするほど予圧緩和には有利となるが、反面軸受剛性は低下してしまうことになる。よって凹み部分５を形成する位置は必要な剛性を考慮して決定することになる。逆に、凹み部分５を、幅方向中央部２ｂｃよりも外輪背面側に離れた箇所から外輪背面側の端面に至る部分にわたり形成しても良い。
この場合にも、段部を成す凹み部分５により外輪２の熱膨張を容易に行わせて、各外輪２を径方向に変形させ、予圧増大が緩和することが可能となる。また、外輪正面側の周面部分２ｂｓに対する段部の深さｈ１を深くする程、温度による熱膨張分と共に、内部予圧による変形分が軌道輪に加わるため、予圧増大の緩和度は大きくなる。つまり段部の深さｈ１により予圧を調整することが可能となる。ただし、段部の深さｈ１を深くする程、軸受剛性の面で不利となる。段部は、凹み部分５の傾斜角度αを変える場合に比べて、深さｈ１を容易に変えることができ、製作上有利である。
図５に示すように、図４のアンギュラ玉軸受ＢＲ１を背面組合わせで二個設置することも可能である。
【００３５】
図６は、内輪背面側の周面部分１ｂｈを、テーパ状の傾斜角度αを有する凹み部分５に形成したアンギュラ玉軸受ＢＲ１である。同図に示すアンギュラ玉軸受ＢＲ１の内輪１は、軸材質である軸受鋼よりも線膨張係数の低い例えばセラミックスからなる。軸受運転中、軸Ｓｈと内輪１の温度が同等になるとすると、内輪１よりも線膨張係数の大きな軸Ｓｈにより内輪１は強制的に膨張させられてしまう。この場合に、内輪背面側の周面部分１ｂｈを凹み部分５としたことにより、膨張量を小さくする。この場合、内輪１の軌道溝１ａの曲率半径が熱膨張前の曲率半径よりも拡大する方向に、内輪１を変形させる。したがって、内輪１の軌道溝１ａのうち玉接触点では、径方向および軸方向のすきま増大と同様の効果をもたらして、予圧増大が緩和されることになる。
それ故、従来技術のような回転速度と予圧設定のタイムラグがなく、且つ軸受外部の発熱制御装置、冷却液供給装置等の付帯設備等を必要とせず安価に運転中の軸受予圧の増大を緩和することができる。なお、内輪１を軸受鋼からなるものとして、内輪背面側の周面部分１ｂｈを凹み部分５とした場合、軸受内部予圧の増大に伴う変形は、凹み部無しの場合に比べ予圧増大が緩和する効果を奏する。
図７に示すように、図６のアンギュラ玉軸受ＢＲ１を背面組合わせで二個設置することも可能である。
【００３６】
図８は、内輪背面側の凹み部分５を、内輪正面側の周面部分１ｂｓに対して段部を成すものとしている。この段部は、内輪正面側の周面部分１ｂｓに対して軸受空間側へ凹むように形成され、且つ、内輪内周面１ｂのうち幅方向中央部１ｂｃから内輪背面側の端面に至る部分にわたって形成されている。この場合、図６と同様に軸受運転中、内輪１の軌道溝１ａの曲率半径が熱膨張前の曲率半径よりも拡大する方向に、内輪１を変形させる。したがって、内輪１の軌道溝１ａのうち玉接触点では、径方向および軸方向のすきま増大と同様の効果をもたらして、予圧増大が緩和されることになる。
図９に示すように、図８のアンギュラ玉軸受ＢＲ１を背面組合わせで二個設置することも可能である。
【００３７】
図１０に示すように、内外輪１，２にそれぞれテーパ状の傾斜角度を有する凹み部分５，５を設けたアンギュラ玉軸受ＢＲ１を、背面組合わせで二個設置しても良い。また図１１に示すように、内外輪１，２にそれぞれ段部を成す凹み部分５，５を設けたアンギュラ玉軸受ＢＲ１を、背面組合わせで二個設置しても良い。
図１０，図１１ともに、各アンギュラ玉軸受ＢＲ１の内輪１は、軸材質である軸受鋼等よりも線膨張係数の低いセラミックスからなる。これらの場合、内外輪１，２にそれぞれ凹み部分５，５を設けたため、軸受運転中、内外輪１，２共変形させることができ、予圧増大をさらに緩和することができる。
【００３８】
図１２（Ａ）は、図１（Ａ）の外輪およびハウジングに代えて、標準の外輪２と、ハウジングＨｓにテーパ状の斜面角度αを有する凹み部分５とを設けたアンギュラ玉軸受設置構造としたものである。同図に示すように、ハウジングＨｓである軸受嵌合部材に、外輪外周面２ｂに対して、外輪正面側の周面部分２ｂｓを嵌合させる円筒面状の軸受嵌合面１１と、外輪背面側の周面部分２ｂｈを非接触とするテーパ状の凹み部分５に形成する凹み部分形成面１２とを設けている。この凹み部分形成面１２の逃げ深さは、この凹み部分５に対向する外輪２が熱膨張しても、凹み部分形成面１２に接触しない深さとしている。ハウジングＨｓの凹み部分５は、外輪外周面の幅方向中央部２ｂｃに対向する箇所から、少なくとも外輪背面側端面に対向する箇所にわたって形成されている。この凹み部分５のテーパ状の傾斜角度αは図１（Ａ）の例と同様の傾斜角度となっている。
【００３９】
図１２（Ａ）のアンギュラ玉軸受設置構造によると、軸受運転中、凹み部分５に対向する外輪２が熱膨張しても、外輪背面側の周面部分２ｂｈは、軸受嵌合部材の凹み部分形成面１２に対し非接触となる。したがって、軸受運転時における外輪２の熱膨張に応じて、軌道溝の曲率半径を拡大させて予圧増大の緩和防止を図ることができる。この場合、標準のアンギュラ玉軸受ＢＲ１を追加工等することなく使用できるため、軸受の汎用性を高めることができる。
図１２（Ｂ）に示すように、図１２（Ａ）のテーパ状の斜面角度αを有する凹み部分５に代えて、段部を成す凹み部分５をハウジングＨｓに設けても良い。
図１２（Ａ），（Ｂ）では、単列のアンギュラ玉軸受ＢＲ１の軸受設置構造を示しているが、アンギュラ玉軸受ＢＲ１を背面組合せまたは正面組合せで複数個設置することも可能である。
【００４０】
図１３（Ａ）は、図６の内輪および軸に代えて、標準の内輪１と、軸Ｓｈにテーパ状の斜面角度αを有する凹み部分５とを設けたアンギュラ玉軸受設置構造としたものである。同図に示すように、軸Ｓｈである軸受嵌合部材に、内輪内周面１ｂに対して、内輪正面側の周面部分１ｂｓを嵌合させる円筒面状の軸受嵌合面１３と、内輪背面側の周面部分１ｂｈを非接触とする凹み部分５を形成する凹み部分形成面１４とを設けている。この凹み部分形成面１４の逃げ深さは、この凹み部分５に対向する内輪１が熱膨張しても、凹み部分形成面１４に接触しない深さとしている。軸Ｓｈの凹み部分５は、内輪内周面の幅方向中央部１ｂｃに対向する箇所から、少なくとも内輪背面側端面に対向する箇所にわたって形成されている。この凹み部分５の傾斜角度αは図６の例と同様のテーパ状の傾斜角度αとなっている。
【００４１】
図１３（Ａ）のアンギュラ玉軸受設置構造によると、軸受運転時における内輪１の熱膨張に応じて、軌道溝１ａの曲率半径を拡大させて予圧増大の緩和防止を図ることができる。この場合、標準のアンギュラ玉軸受ＢＲ１を追加工等することなく使用できるため、軸受の汎用性を高めることができる。また、軸Ｓｈに凹み部分５を設けるため、ハウジングＨｓに凹み部分５を設けるよりも加工性に優れ、製作コストの低減を図れる。
図１３（Ｂ）に示すように、図１３（Ａ）の斜面角度αを有する凹み部分５に代えて、段部を成す凹み部分５を軸Ｓｈに設けても良い。
図１３（Ａ），（Ｂ）では、単列のアンギュラ玉軸受ＢＲ１の軸受設置構造を示しているが、アンギュラ玉軸受ＢＲ１を背面組合せまたは正面組合せで複数個設置することも可能である。
図１４（Ａ），（Ｂ）に示すように、ハウジングＨｓおよび軸Ｓｈに凹み部分５を設けたアンギュラ玉軸受設置構造としても良い。
前述のいずれかのアンギュラ玉軸受ＢＲ１において、内輪１、外輪２のうち、内外輪１，２をそれぞれセラミックスからなるものとしても良いし、外輪２のみセラミックスからなるものとしても良い。また内輪１のみセラミックスからなるものとしても良い。
前述のいずれかのアンギュラ玉軸受ＢＲ１において、内輪１、外輪２、玉３のいずれかの材質である軸受鋼に代えてステンレス鋼を使用することも可能である。
【００４２】
図１５は、前述のいずれかのアンギュラ玉軸受設置構造を工作機械主軸用のスピンドル装置に適用した構成例である。主軸前側に円筒ころ軸受ＢＲ２を設置し、主軸後側にアンギュラ玉軸受ＢＲ１，ＢＲ１を背面組合せて設置している。各軸受ＢＲ１，ＢＲ１，ＢＲ２の外輪２をハウジングＨｓの内周に嵌合固定し、各軸受ＢＲ１，ＢＲ１，ＢＲ２の内輪内周面に軸Ｓｈを嵌合固定している。内輪１，１，１は、間座１５，７，８を介して、軸Ｓｈに螺合する固定ナット１６を締付けて位置決め固定している。外輪２，２，２は、ハウジングＨｓの内周に挿入されて、蓋１０，１７を図示外のボルト等で締結することで固定している。また、各軸受ＢＲ１，ＢＲ１，ＢＲ２の組立て後のすきまは、通常、軸剛性を確保するため、若干の負すきまにして用いられるのが一般的である。
【００４３】
このスピンドル装置によると、軸受運転中、逃げ用隙間δを構成する軌道輪を熱膨張できるようにしたため、この軌道輪の軌道溝のうち転動体接触点では、径方向および軸方向へのすきま増大と同様の効果をもたらして、予圧増大が緩和されることになる。このため、従来技術のような回転速度と予圧設定のタイムラグがなく、且つ軸受外部の発熱制御装置、冷却液供給装置等の付帯設備等を必要とせず安価に運転中の軸受予圧の増大を緩和することができる。よって、さらなる高速化または軸受寿命の延長が図れる。
【符号の説明】
【００４４】
１…内輪
１ｂ…内輪内周面
１ｂｓ…内輪正面側の周面部分
１ｂｈ…内輪背面側の周面部分
２…外輪
２ｂ…外輪外周面
２ｂｓ…外輪正面側の周面部分
２ｂｈ…外輪背面側の周面部分
３…玉
５…凹み部分
６…円筒面
１１，１３…軸受嵌合面
１２，１４…凹み部分形成面
ＢＲ１…アンギュラ玉軸受
Ｈｓ…ハウジング
Ｓｈ…軸
【図１】
2012026496.tif 000003
【図２】
2012026496.tif 000004
【図３】
2012026496.tif 000005
【図４】
2012026496.tif 000006
【図５】
2012026496.tif 000007
【図６】
2012026496.tif 000008
【図７】
2012026496.tif 000009
【図８】
2012026496.tif 000010
【図９】
2012026496.tif 000011
【図１０】
2012026496.tif 000012
【図１１】
2012026496.tif 000013
【図１２】
2012026496.tif 000014
【図１３】
2012026496.tif 000015
【図１４】
2012026496.tif 000016
【図１５】
2012026496.tif 000017